(57)【要約】      （修正有）【課題】画像処理装置の保存画像データがユーザの意図に反して他の画像処理装置に残存し続けることを防止する。【解決手段】実行ジョブの画像データをジョブ履歴用領域に蓄積可能な画像処理装置において、画像処理装置内の画像データを画像処理装置で出力する場合、画像処理装置のジョブ履歴用領域には実行ジョブの画像データを物理的にコピーし、画像処理装置のジョブ履歴用領域には実行ジョブの画像データの位置情報のみをデータとして保存する履歴ジョブが再出力可能な画像処理システム。【選択図】図７
2010258591.tif 000002
【特許請求の範囲】
【請求項１】
入力画像データを蓄積可能なデータ保存用領域（201）を有する画像処理装置1（1）と、
実行した第1ジョブを第2ジョブとして再実行するために、前記第１ジョブの画像データを前記データ保存領域とは異なるジョブ履歴用領域に蓄積可能なジョブ履歴データ保存手段（202）を有し、
ジョブ情報をジョブ履歴データとして保存するジョブ履歴データ管理テーブル（204）を有する前記画像処理装置1と、
前記画像処理装置1とネットワークを介してデータの送受信が可能な前記画像処理装置1と同様の機能を具備する画像処理装置2（2）を有する画像処理システムであって、
前記画像処理装置2は、ジョブ実行時に前記画像処理装置1の前記データ保存領域の蓄積画像データを要求するデータ要求手段（STEP1303,STEP1305）と、
前記データ要求手段に対する前記画像処理装置1からの応答を受信する応答受信手段（STEP1304,STEP1307）と、
前記応答受信手段により受信した画像データを前記画像処理装置2の前記第1ジョブとして出力する受信データ出力手段（STEP1308）とを有し、
前記受信データ出力手段により前記第1ジョブを実行した際は、前記画像処理装置1、2両方で前記ジョブ履歴データ保存手段を実行し、
その際、前記画像処理装置1の前記ジョブ履歴データ保存手段には前記第1ジョブの画像データを物理的にコピーする物理コピー手段（STEP1206）を用い、
前記画像処理装置2の前記ジョブ履歴データ保存手段には前記第1ジョブの画像データの位置情報のみをデータとして保存する論理コピー手段（STEP1307）を用いる
ことを特徴とする履歴ジョブが再出力可能な画像処理システム。
【請求項２】
入力画像データを蓄積可能なデータ保存用領域（201）を有する画像処理装置1（1）と
前記画像処理装置1とネットワークを介してデータの送受信が可能な画像処理装置2（2）を有する画像処理システムであって、
画像処理装置2は、実行した第1ジョブを第2ジョブとして再実行するために、前記第１ジョブの画像データをジョブ履歴用領域に蓄積可能なジョブ履歴データ保存手段（202）を有し、
ジョブ情報をジョブ履歴データとして保存するジョブ履歴データ管理テーブル（204）を有し、
ジョブ実行時に前記画像処理装置1の前記データ保存領域の蓄積画像データを要求するデータ要求手段（STEP1603，STEP1605）と、
前記データ要求手段に対する前記画像処理装置1からの応答を受信する応答受信手段（STEP1604，STEP1606）と、
前記応答受信手段により受信した画像データを前記画像処理装置2の前記第1ジョブとして出力する受信データ出力手段（STEP1611）とを有し、
前記受信データ出力手段により前記第1ジョブを実行した際は、前記ジョブ履歴データ保存手段に前記第1ジョブの画像データを物理的にコピーする物理コピー手段（STEP1609）を用い、
前記ジョブ履歴データ保存手段の画像データを前記第2ジョブとして再実行する際は、前記画像処理装置1の蓄積画像データに前記第2ジョブのコピー元画像データの有無を問い合わせる元画像データ有無問合せ手段（STEP1702）と、
前記元画像データ有無問合せ手段に対する前記画像処理装置1からの応答を受信する元画像データ有無応答受付手段（STEP1703）とを有し、
前記画像処理装置1に前記第2ジョブのコピー元画像データが存在する場合は前記第2ジョブを実行（STEP1705）し、コピー元データが存在しない場合は、前記画像処理装置2の前記ジョブ履歴用領域から該当する第2ジョブ用の画像データを削除する機能（STEP1706）を有する
ことを特徴とする履歴ジョブが再出力可能な画像処理システム。
【発明の詳細な説明】
【技術分野】
【０００１】
本発明は、画像処理装置を使用したユーザが蓄積されたジョブのログ情報を利用して再度画像出力が可能なデジタル式複写機、あるいはプリンタ等を含んだ形で構築されるシステムに関する。
【背景技術】
【０００２】
出力したジョブをジョブ実行履歴として保存して再度出力する画像処理装置が発案されている。そして、ジョブ実行履歴および画像データを記憶するユーザ携行の外部記憶装置と通信し、その外部記憶装置を利用するか否か（履歴保存するか否か）を、ユーザによって入力された外部記憶装置の利用可否の情報に基づいて決定する機能がある。外部記憶装置への履歴保存するか否かをユーザに選択させて第三者への画像データ流出を防止している。
【先行技術文献】
【特許文献】
【０００３】
【特許文献１】特開２００６−０５６１０９号公報
【発明の概要】
【発明が解決しようとする課題】
【０００４】
画像処理装置内部に保持している記憶装置以外への画像データの流出防止は、上述のようなユーザ携行の外部記憶装置だけではなく、画像処理装置にネットワークを介して接続されている他の画像処理装置が内部保持する記憶装置についても対処する必要がある。
【０００５】
画像処理装置1内部のデータを他の画像処理装置2で出力する機能を有する画像処理装置があるが、この際、画像処理装置2に履歴保存機能が搭載されていると、画像処理装置1内部の画像データが再出力用データとして画像処理装置2へコピーされる。この場合、画像処理装置1から画像データを削除しても画像処理装置2には削除されずに残り続け、ユーザの意図に反して画像データが流出することが懸念される。
【課題を解決するための手段】
【０００６】
上述した課題を解決するために、本発明は発明されたものであり、
入力画像データを蓄積可能なデータ保存用領域（201）を有する画像処理装置1（1）と、
実行した第1ジョブを第2ジョブとして再実行するために、前記第１ジョブの画像データを前記データ保存領域とは異なるジョブ履歴用領域に蓄積可能なジョブ履歴データ保存手段（202）を有し、
ジョブ情報をジョブ履歴データとして保存するジョブ履歴データ管理テーブル（204）を有する前記画像処理装置1と、
前記画像処理装置1とネットワークを介してデータの送受信が可能な前記画像処理装置1と同様の機能を具備する画像処理装置2（2）を有する画像処理システムであって、
前記画像処理装置2は、ジョブ実行時に前記画像処理装置1の前記データ保存領域の蓄積画像データを要求するデータ要求手段（STEP1303,STEP1305）と、
前記データ要求手段に対する前記画像処理装置1からの応答を受信する応答受信手段（STEP1304,STEP1307）と、
前記応答受信手段により受信した画像データを前記画像処理装置2の前記第1ジョブとして出力する受信データ出力手段（STEP1308）とを有し、
前記受信データ出力手段により前記第1ジョブを実行した際は、前記画像処理装置1、2両方で前記ジョブ履歴データ保存手段を実行し、
その際、前記画像処理装置1の前記ジョブ履歴データ保存手段には前記第1ジョブの画像データを物理的にコピーする物理コピー手段（STEP1206）を用い、
前記画像処理装置2の前記ジョブ履歴データ保存手段には前記第1ジョブの画像データの位置情報のみをデータとして保存する論理コピー手段（STEP1307）を用いる
ことを特徴とする履歴ジョブが再出力可能な画像処理システム。
【発明の効果】
【０００７】
本発明により、画像処理装置の保存画像データがユーザの意図に反して他の画像処理装置に残存し続けることを防止し、履歴保存をすることが可能となる。
【図面の簡単な説明】
【０００８】
【図１】本発明の画像処理装置システムの構成図である。
【図２】本発明に係わるデータ処理装置としての画像処理装置の実施例形態を示すブロック構成図である。
【図３】本発明に係わる電子部品としてのコントローラ部の詳細を示すブロック構成図である。
【図４】本発明の実施例１の画像処理装置１における履歴用のデータコピー処理のフローチャートである。
【図５】本発明の実施例１の画像処理装置２における履歴用のデータコピー処理のフローチャートである。
【図６】本発明の実施例１の画像処理装置１における履歴用のデータ再出力処理のフローチャートである。
【図７】本発明の実施例１の画像処理装置２における履歴用のデータ再出力処理のフローチャートである。
【図８】本発明の実施例２の画像処理装置１における履歴用のデータコピー処理のフローチャートである。
【図９】本発明の実施例２の画像処理装置２における履歴用のデータコピー処理のフローチャートである。
【図１０】本発明の画像処理装置で必要とされる不揮発性メモリ領域の構成の一例を図示したものである。
【図１１】本発明の画像処理装置で確認可能なジョブ履歴データの表示の一例について図示したものである。
【図１２】本発明の実施例中における画像処理装置へのデータ入力の流れを図示したものである。
【図１３】本発明の実施例中における画像処理装置への履歴データコピーの流れと、履歴データ管理テーブルのデータ構造の一例を図示したものである。
【図１４】本発明の実施例中における画像処理装置への履歴データコピーの流れと、履歴データ管理テーブルのデータ構造の一例を図示したものである。
【図１５】本発明の画像処理装置で確認可能な蓄積データのデータ保存一覧の表示例について図示したものである。
【発明を実施するための形態】
【０００９】
以下、本発明の実施の形態を図面に基づいて詳説する。
【００１０】
図１は本発明の画像処理システムの構成図である。画像処理装置１、画像処理装置２は、イーサネット（登録商標）等のLAN（Local  Area Network）400にてのホストコンピュータ（本実施の形態では第一、第二のホストコンピュータ3,4）に接続されている。画像処理装置１、画像処理装置２はLAN400を介して互いにデータの送受信が可能になっている。
【００１１】
図２は本発明に係る電子部品としてのコントローラ部が搭載された画像処理装置（データ処理装置）の一実施の形態を示すブロック構成図である。以後、画像処理装置１についての説明となるが、図１の画像処理装置２も画像処理装置１と同様の構成をしている。
【００１２】
画像処理装置（装置）1は、画像データの読取処理を行うリーダー部2と、出力処理を行うプリンタ部6を有する。さらに、入出力操作を行うキーボード、及び表示を行う液晶パネルを備えた操作部7と、制御プログラムや画像データ等が予め書き込まれたハードディスクドライブ8を装着している。これら各構成要素に接続されて該構成要素に接続されて該構成要素を制御する単一の電子部品からなるコントローラ部110とから構成されている。
【００１３】
リーダー部2は原稿用紙を搬送する原稿給紙ユニット（部）10と、原稿画像を光学的に読み取って電気信号としての画像データに変換するスキャナ部11とを有している。プリンタ部6は記録用紙を収容する複数段の給紙カセットを備えた給紙ユニット（部）12と画像データを記録用紙に転写、定着するマーキングユニット(部)13を有する。さらに、印字された記録用紙にソート処理やステイプル処理を施し、外部に排出する排紙ユニット（部）14を有している。
【００１４】
コントローラ部110は、上述したように単一の電子部品で構成される。リーダー部2で読み取った画像データをコードに変換する。そして、ＬＡＮ400を介して第一及び第二のホストコンピュータ３、４に送信するスキャナ機能を有する。更に、ホストコンピュータ３、４からＬＡＮ２を介して受信したコードデータを画像データに変換し、プリンタ部6に出力するプリンタ機能やその他の機能ブロックを有している。
【００１５】
図３はコントローラ部110の詳細を示すブロック図である。
【００１６】
すなわち、メインコントローラ32は、ＣＰＵ33とバスコントローラ34と後述する各種コントローラ回路を含む機能ブロックとを内蔵すると共に、ＲＯＭＩ／Ｆ35を介してＲＯＭ36と接続される。さらに、ＤＲＡＭＩ／Ｆ37を介してＤＲＡＭ38と接続され、コーデックＩ／Ｆ39を介してコーデック40と接続され、ネットワークＩ／Ｆ41を介してネットワークコントローラ42と接続されている。
【００１７】
ＲＯＭ36は、メインコントローラ32のＣＰＵ33で実行される各種制御プログラムや演算データが確認されている。ＤＲＡＭ38は、ＣＰＵ33が動作するための作業領域や画像データを蓄積するための領域として使用される。コーデック40はＤＲＡＭ38に蓄積されたラスターイメージデータをＭＨ／ＭＲ／ＭＭＲ／ＪＢＩＧなどの周知の圧縮方式で圧縮し、また圧縮されたデータをラスターイメージに伸長する。また、コーデック40にはＳＲＡＭ43が接続されており、該ＳＲＡＭ43は前記コーデック40の一時的な作業領域として使用される。
【００１８】
ネットワークコントローラ42は、ネットワーク44を介してＬＡＮ2との間で所定の制御動作を行う。
【００１９】
また、前記メインコントローラ32はスキャナバス45を介してスキャナＩ／Ｆ46に接続され、プリンタバス47を介してプリンタＩ／Ｆ48に接続される。さらにＰＣＩバス等の汎用高速バス49を介して拡張ボードを接続するための拡張コネクタ50及び入出力制御部（Ｉ／Ｏ制御部）51に接続されている。
【００２０】
Ｉ／Ｏ制御部51はリーダー部2やプリンタ部6との間で制御コマンドを送受信するための調歩同期式のシリアル通信コントローラ52が2チャンネル装備されている。シリアル通信コントローラ52はＩ／Ｏバス53を介してスキャナＩ／Ｆ46及びプリンタＩ／Ｆ48に接続されている。
【００２１】
スキャナＩ／Ｆ48は、第一の調歩同期シリアルＩ／Ｆ54及び第一のビデオＩ／Ｆ55を介してスキャナコネクタ56に接続され、さらに該スキャナコネクタ56はリーダー部2のスキャナユニット11に接続されている。そして、スキャナＩ／Ｆ46はスキャナ部11から受信した画像データに対し所望の2値化処理や、主走査方向及び／又は副走査方向の変倍処理を行う。続いてスキャナ部11から送られてきたビデオ信号に基づいて制御信号を生成し、スキャナバス45を介してメインコントローラ32に転送する。
【００２２】
また、プリンタＩ／Ｆ48は、第２の調歩同期シリアルＩ／Ｆ57及び第2のビデオＩ／Ｆ58を介してプリンタコネクタ59に接続され、さらに該プリンタコネクタ59はプリンタ部６のマーキングユニット13に接続されている。そして、プリンタI/F48はメインコントローラ３２から出力された画像データにスムージング処理を施す。続いて、画像データをマーキングユニット13に出力し、さらにマーキングユニット13から送られたビデオ信号に基づいて、生成された制御信号をプリンタバス47に出力する。
【００２３】
そして、ＣＰＵ33は、ＲＯＭ36からＲＯＭＩ／Ｆ35を介して読み込まれた制御プログラムに基づいて動作する。例えば、第1及び第2のホストコンピュータ3、4から受信したＰＤＬ（ページ記述言語）データを解釈し、ラスターイメージデータに展開処理を行う。
【００２４】
また、バスコントローラ34は、スキャナＩ／Ｆ46プリンタＩ／Ｆ48、その他拡張コネクタ50等に接続された外部機器から入出力されるデータ転送を制御するものであり、バス競合時のアービトレーション（調停）やＤＭＡデータ転送の制御を行う。即ち、例えば、上述したＤＲＡＭ38とコーデック40との間のデータ転送や、スキャナ部５からＤＲＡＭ38へのデータ転送、ＤＲＡＭ38からマーキングユニット13へのデータ転送等は、バスコントローラ34によって制御され、ＤＭＡ転送される。
【００２５】
また、Ｉ／Ｏ制御部51は、ＬＣＤコントローラ60及びキー入力Ｉ／Ｆ761を介してパネルＩ／Ｆ62は操作部７に接続されている。また、前記Ｉ／Ｏ制御部51は不揮発性メモリとしてのＥＥＰＲＯＭ66に接続さる。そしてＥ−ＩＤＥコネクタ63を介してハードディスクドライブ8に接続され、さらに、機器内で管理する日付と時刻を更新／保存するリアルタイムクロックモジュール64に接続されている。尚、リアルタイムクロックモジュール64はバックアップ用電池65に接続されて該バックアップ用電池65によりバックアップされている。
【実施例１】
【００２６】
図４、図５のフローチャートに沿って、ジョブ履歴用の画像データの保存方法について説明する。
【００２７】
本実施例では、画像処理装置2に対して、画像処理装置１に蓄積されている画像データのコピージョブ要求があったとする。
【００２８】
＜ジョブ投入時の処理＞
画像処理装置２は、LAN400を介して図15のような画像処理装置１のデータ保存一覧を取得し、画像処理装置２の操作部７へ表示する。ユーザは操作部7を介して実行データを選択後し、ジョブを実行する。
【００２９】
＜ジョブ履歴保存について＞
まず、コントローラ部110の持つハードディスク８の構成を説明する。ハードディスク８の構成を、図10でその論理的なデータ領域について本発明に関わる部分のみを抜き出して記述した。
【００３０】
ハードディスク８には、データ保存用領域、ジョブ履歴用領域、テンポラリ領域の3つの領域とそれ以外の領域を持つ。
【００３１】
ジョブの履歴情報とは関係なくユーザが機器内に画像データを残して、再利用したいと考え、そのようなジョブとして意図的に投入された場合にはデータ保存用領域に画像データが保存される。
【００３２】
データ保存用領域に保存されたデータは以下の方法で削除が可能である。
【００３３】
ユーザやシステム管理者からの直接の指示、あるいはそれ以外にはユーザやシステム管理者が時刻指定して削除を指示、特定の部数分出力された場合に削除する指示、等を機器に設定することで自動的にデータを削除することができる。
【００３４】
テンポラリ領域は例えば前述の出力用の画像データとしてページ番号を挿入する。あるいは画像向きを変更する等の画像処理を実行した後のデータをシステムが一時的に保存し、複数部印刷等の場合に再度読み出して使用することができる領域である。ジョブが正常に終了した場合や、システムが電源OFF/ONする場合にはシステムより非同期に削除される。
【００３５】
テンポラリ領域は、例えばスキャンした入力画像データを出力用の画像データとしてページ番号を挿入する。あるいは画像向きを変更する等の画像処理を実行した後のデータをシステムが一時的に保存し、複数部印刷等の場合に再度読み出して使用することができる領域である。そして、ジョブが正常に終了した場合や、システムが電源OFF/ONする場合にはシステムより非同期に削除される。
【００３６】
ジョブ履歴用領域は本発明において最も重要な領域となる。
【００３７】
画像出力ジョブが実行された場合に、再度出力可能なように、一度実行したジョブの画像データ等を保存する領域となる。
【００３８】
図５STEP1301ではユーザが操作部７より設定したジョブの実行要求を受け付ける。
【００３９】
STEP1302にてコントローラ部110のCPU33は履歴出力用に画像データをコピーするか否かについて確認する。
【００４０】
履歴出力用に画像データをコピーするか否かは予めユーザから操作部７を介して設定可能であり、設定はジョブ単位であっても良いし、システム管理者が機器全体に対して行っても良い。あるいはユーザ単位で設定が変更可能であっても良い。履歴出力用に画像データをコピーするか否かの情報はハードディスク8上の図10で説明されないシステム用の領域に保存されている。
【００４１】
STEP1302で履歴出力用に画像データをコピーしないと判断された場合にはSTEP1303に処理を移行する。STP1303では、制御部110がLAN400を介して画像データを画像処理装置１へ要求し、STEP1304で画像処理装置１より画像データを受信する。受信した画像データはCodec40で画像を圧縮後、ハードディスク８に保存する。
【００４２】
＜プリント時の処理＞
次にSTEP1308にて、プリンタ装置6に出力する。ハードディスク８に保存したデータをCodec40で画像を伸張する。またプリンタ装置6に合わせて画像の向きの回転やユーザ設定によりページ番号の挿入等の処理も合わせてCodec40で実行する。
【００４３】
処理された画像はプリンタI/F48を介してプリンタ部２に送信されプリントされる。プリント後、CPU33はテンポラリの画像データを削除して処理を終了する。
【００４４】
＜ジョブ履歴保存時の処理＞
STEP1302で履歴出力用に画像データをコピーすると判断された場合CPU33は処理をSTEP1305に移行する。
【００４５】
STEP1305では、画像データを画像処理装置１へ要求すると同時に、画像処理装置1のジョブ履歴データ管理テーブルを更新する際に必要となるジョブ情報を送信する。STEP1306では、画像処理装置１より画像データとその画像データが保存されている画像処理装置１のハードディスク８での位置情報を受信する。
【００４６】
そして、STEP1307では画像処理装置2のジョブ履歴データ管理テーブルを更新し、STEP1308へ移行する。
【００４７】
STEP1307のジョブ履歴データ管理テーブルの更新では、画像データを論理コピーしている。論理コピーの場合には画像データそのものはコピーされず、コピー元の画像データの場所、ファイル名などの情報のみがデータとして保存され、ジョブ履歴データ管理テーブルとして保存される。ジョブ履歴データ管理テーブルについては、後述の図4STEP1207で説明する。
【００４８】
実画像データはコピーされないため、元画像データが削除されるような場合では論理コピーによって生成されたデータだけでは画像の出力は出来ない。
【００４９】
図４は、画像処理装置１側のデータフローである。STEP1201では、図５STEP1303またはSTEP1305で画像処理装置2から送信された画像データ要求やジョブ情報を受け付ける。STEP1202では、要求された画像データや画像データの保存されている位置情報を画像処理装置2へ送信している。
【００５０】
STEP1203では、図5STEP1302で確認した履歴出力用に画像データをコピーするか否か情報に基づき、判断を行う。
【００５１】
履歴出力用に画像データをコピーしない場合は、そのまま処理を終了する。コピーする場合はSTEP1204へ移行し、CPU33はSTEP1206でデータのコピー先となるジョブ履歴用領域がフルでないか確認する。
【００５２】
容量がフルでない場合には処理をSTEP1206に移行する。
【００５３】
容量がフルである場合には処理をSTEP1205に移行する。
【００５４】
STEP1205では履歴データの内、最も古いものを削除する。
【００５５】
STEP1205の処理後、CPU33は再度処理をSTEP1204に戻して、ジョブ履歴用領域がフルかどうかについて確認する。
【００５６】
STEP1206ではCPU33は画像データの物理コピー処理を行う。本実施例では物理コピーは出力用に最適な処理を実施した後のものを物理的にコピーすることとした。
【００５７】
物理コピーを出力用に最適な処理を実施したというのはあくまでも一例であり元データをそのままコピーしても構わない。
【００５８】
STEP1207では図13の一例を示すようなジョブ履歴データ管理テーブルを更新する。
【００５９】
ジョブ履歴データ管理テーブルは、ジョブ履歴データが論理コピーか物理コピーかの情報に加えて、少なくとも履歴用のデータファイル名、元データのファイル名の情報を持つ。
【００６０】
データコピー後にジョブ履歴データ管理テーブルの該当箇所を更新する。ジョブ履歴データ管理テーブルはコントローラ部110の持つ不揮発性のメモリ領域であれば何処に保存されていても構わない。本実施例ではハードディスク８に保存されていることとする。
【００６１】
ジョブ履歴データ管理テーブルの各情報の設定がされていない場合、情報設定が“無いこと”を意味するNoneが設定される。
【００６２】
図12、図13、図14にデータ保存用領域、テンポラリ領域、ジョブ履歴用のデータ領域について画像データのコピーの流れを記述した。
【００６３】
図12でスキャナを介して取り込み取られた画像データAの入力が行われる。（図中説明A））画像出力するために画像処理されたデータがテンポラリ領域にA+として保存される。（図中説明B））
図13は物理コピーである。まず、履歴データとしてテンポラリ領域のデータ（A+）をジョブ履歴用領域にコピーしテンポラリ領域のデータを削除する。（図中説明A）)その後、本実施例ではジョブ履歴保存用領域に確保されているジョブ履歴データ管理テーブルを更新する。(図中説明B))
図14では論理コピーである。まず、テンポラリ領域のデータ（A+）を削除する。（図中説明A）)その後、本実施例ではジョブ履歴保存用域に確保されているジョブ履歴データ管理テーブルを更新し、元画像データAに関連付ける。(図中説明B))
STEP1210でジョブ履歴データ管理テーブルを更新した後、CPU33は処理をSTEP1211に移行し、処理を終了する。
【００６４】
＜再出力時の処理＞
次に図６、図７のフローチャートに沿ってジョブ履歴データを使用したジョブの再出力のフローについて説明する。
【００６５】
画像処理装置２において、CPU33は図７STEP1501で再出力を指示されたジョブをジョブ履歴データ管理テーブルで特定する。
【００６６】
ユーザによる再出力の指示は、図11のジョブ履歴データ表示例のような参照画面を用いて行う。
【００６７】
画像処理装置では出力ジョブの履歴を図11のジョブ履歴データ表示例に示すような形で操作部7を介して、あるいはネットワークを介してPC3やPC4から参照することができる。
【００６８】
STEP1502では該当するジョブの画像データを画像処理装置１へ要求し、STP1503にてLAN400を介して画像処理装置１から画像データを受信する。受信した画像データはCodec40で画像を圧縮後、ハードディスク８に保存する。
【００６９】
STEP1504では、STEP1503でハードディスク８に保存したデータをCodec40で画像伸張し、プリンタ部２で出力するする。
【００７０】
一方、画像処理装置１では図６STEP1401で画像処理装置２からの画像データ要求を受け付ける。STEP1402では要求された画像データをハードディスク８から取り出し、LAN400を介して画像処理装置２へ送信する。
【実施例２】
【００７１】
実施例1において、画像処理装置１の画像データを画像処理装置２で出力した際のジョブ履歴の再出力方法について説明した。
【００７２】
画像処理装置2ではジョブ履歴用の画像データを論理コピーし、元画像データのある画像処理装置１ではジョブ履歴用の画像データを物理コピーする。これにより、画像データが画像処理装置1以外の装置する可能性を低減させた。
【００７３】
本実施例では、実施例１と同様、画像処理装置１の画像データを画像処理装置２で出力した際のジョブ履歴の再出力方法について説明する。
【００７４】
画像処理装置２で画像データを物理コピーするが、コピー元の画像処理装置１の画像データ消去された場合、画像処理装置２の画像データも削除し再出力を出来なくする。これにより、消去された元画像データが再出力される可能性をなくすことが出来る。
【００７５】
本実施例では、画像処理装置１の画像データコピーは、実施例１と同様のフローで行うものとする。
【００７６】
図８のフローチャートに沿って、画像処理装置２におけるジョブ履歴用の画像データの保存方法について説明する。
【００７７】
本実施例では、画像処理装置2に対して、画像処理装置１に蓄積されている画像データのコピージョブ要求があったとする。
【００７８】
＜ジョブ投入時に処理＞
画像処理装置２は、LAN400を介して図15のような画像処理装置１のデータ保存一覧を取得し、画像処理装置２の操作部７へ表示する。ユーザは操作部7を介して実行データを選択し、ジョブを実行する。
【００７９】
コントローラ部110の持つハードディスク８の構成は、実施例1と同様の構成であるものとする。
【００８０】
図８STEP1601ではユーザが操作部７より設定したジョブの実行要求を受け付ける。
【００８１】
STEP1602にてコントローラ部110のCPU33は履歴出力用に画像データをコピーするか否かについて確認する。
【００８２】
履歴出力用に画像データをコピーするか否かは予めユーザから操作部７を介して設定可能であり、設定はジョブ単位であっても良いし、システム管理者が機器全体に対して行っても良い。あるいはユーザ単位で設定が変更可能であっても良い。履歴出力用に画像データをコピーするか否かの情報はハードディスク8上の図10で説明されないシステム用の領域に保存されている。
【００８３】
STEP1602で履歴出力用に画像データをコピーしないと判断された場合にはSTEP1303に処理を移行する。STP1303では、制御部110がLAN400を介して画像データを画像処理装置１へ要求し、STEP1304で画像処理装置１より画像データを受信する。受信した画像データはCodec40で画像を圧縮後、ハードディスク８に保存する。
【００８４】
＜プリント時の処理＞
次にSTEP1611にて、プリンタ装置6に出力する。ハードディスク８に保存したデータをCodec40で画像を伸張する。またプリンタ装置6に合わせて画像の向きの回転やユーザ設定によりページ番号の挿入等の処理も合わせてCodec40で実行する。
【００８５】
処理された画像はプリンタI/F48を介してプリンタ部２に送信されプリントされる。プリント後、STEP1612にてCPU33はテンポラリの画像データを削除して処理を終了する。
【００８６】
STEP1602で履歴出力用に画像データをコピーすると判断された場合CPU33は処理をSTEP1605に移行する。
【００８７】
＜ジョブ履歴保存時の処理＞
STEP1606では、画像データを画像処理装置１へ要求すると同時に、画像処理装置1のジョブ履歴データ管理テーブルを更新する際に必要となるジョブ情報を送信する。STEP1606では、画像処理装置１より画像データとその画像データが保存されている画像処理装置１のハードディスク８での位置情報を受信する。
【００８８】
STEP1307では、CPU33はSTEP1609でデータのコピー先となるジョブ履歴用領域がフルでないか確認する。
【００８９】
容量がフルでない場合には処理をSTEP1609に移行する。
【００９０】
容量がフルである場合には処理をSTEP1608に移行する。
【００９１】
STEP1608では履歴データの内、最も古いものを削除する。
【００９２】
STEP1608の処理後、CPU33は再度処理をSTEP1607に戻して、ジョブ履歴用領域がフルかどうかについて確認する。
【００９３】
STEP1609ではCPU33は画像データの物理コピー処理を行う。本実施例では物理コピーは出力用に最適な処理を実施した後のものを物理的にコピーすることとした。
【００９４】
物理コピーを出力用に最適な処理を実施したというのはあくまでも一例であり元データをそのままコピーしても構わない。
【００９５】
物理コピーを行い、画像処理装置２のジョブ履歴用領域に画像データを置くことで、LAN400を介さずに画像データを入手することができ、再出力の際の処理速度を速めることが出来る。
【００９６】
STEP1610では画像処理装置2のジョブ履歴データ管理テーブルを更新し、STEP1611、STEP1612へと順に移行する。
【００９７】
STEP1610のジョブ履歴データ管理テーブルは前述の実施例１と同様のものであり、図12に一例を示すようなジョブ履歴データ管理テーブルを更新する。
【００９８】
データ保存用領域、テンポラリ領域、ジョブ履歴用のデータ領域について画像データのコピーの流れは、図12、図13に記述したものになる。
【００９９】
図12でスキャナを介して取り込み取られた画像データAの入力が行われる。（図中説明A））画像出力するために画像処理されたデータがテンポラリ領域にA+として保存される。（図中説明B））
図13では履歴データとしてテンポラリ領域のデータ（A+）をジョブ履歴用領域にコピーしテンポラリ領域のデータを削除する。（図中説明A）)その後、本実施例では文書保存領域に確保されているジョブ履歴データ管理テーブルを更新する。(図中説明B))
＜再出力時の処理＞
次に図９のフローチャートに沿ってジョブ履歴データを使用したジョブの再出力フローについて説明する。
【０１００】
画像処理装置２において、CPU33は図９STEP1701で再出力を指示されたジョブをジョブ履歴データ管理テーブルで特定する。
【０１０１】
ユーザによる再出力の指示は、図11のジョブ履歴データ表示例のような参照画面を用いて行う。
【０１０２】
画像処理装置では出力ジョブの履歴を図11のジョブ履歴データ表示例に示すような形で操作部7を介して、あるいはネットワークを介してPC3やPC4から参照することができる。
【０１０３】
STEP1702では該当するジョブの画像データのコピー元である元画像データが画像処理装置１に存在するか問合せ、STP1703にてLAN400を介して画像処理装置１から応答を受け取る。
【０１０４】
STEP1704にて応答結果を確認し、コピー元の元画像データが画像処理装置１に存在する場合は、画像処理装置２のハードディスク８から画像データを読出し、再出力処理を実行する。
【０１０５】
コピー元の元画像データが画像処理装置１に存在しない場合は、STEP1706にて画像処理装置２のジョブ履歴用領域から画像データを削除し、STEP1707でジョブ履歴データ管理テーブルを更新する。
【０１０６】
元画像データを消去した際、画像データのコピー先画像処理装置で再出力することが出来ないようにすることで、LAN400を介さずに画像データを再出力する利点を保ちつことが出来る。
【符号の説明】
【０１０７】
１  画像処理装置
２  画像処理装置
３  クライアントPC
４  クライアントPC
【図１】
2010258591.tif 000003
【図２】
2010258591.tif 000004
【図３】
2010258591.tif 000005
【図４】
2010258591.tif 000006
【図５】
2010258591.tif 000007
【図６】
2010258591.tif 000008
【図７】
2010258591.tif 000009
【図８】
2010258591.tif 000010
【図９】
2010258591.tif 000011
【図１０】
2010258591.tif 000012
【図１１】
2010258591.tif 000013
【図１２】
2010258591.tif 000014
【図１３】
2010258591.tif 000015
【図１４】
2010258591.tif 000016
【図１５】
2010258591.tif 000017